(57)【要約】【課題】利用者の本人認証を高精度に且つセキュアに実施可能なＩＣカードを提供すること【解決手段】実施形態のＩＣカードは、端末装置と通信し、処理を実行するＩＣモジュールを有するＩＣカードであって、矩形状の本体と、第１の取得部と、第２の取得部と、を備える。第１の取得部は、前記本体に埋設され、利用者の指から指紋情報を取得する。第２の取得部は、前記本体の前記第１の取得部と異なる位置に埋設され、前記第１の取得部が指紋情報を取得した指とは異なる指から指紋情報を取得する。【選択図】  図１
2019192093.tif 000002
【特許請求の範囲】
【請求項１】
端末装置と通信し、処理を実行するＩＣモジュールを有するＩＣカードであって、
矩形状の本体と、
前記本体に埋設され、利用者の指から指紋情報を取得する第１の取得部と、
前記本体の前記第１の取得部と異なる位置に埋設され、前記第１の取得部が指紋情報を
取得した指とは異なる指から指紋情報を取得する第２の取得部と、
を備えるＩＣカード。
【請求項２】
前記第１の取得部と前記第２の取得部は、
矩形状のＩＣカード１の短辺方向の略中心を通って長辺方向に沿った中心線を挟んでＩ
Ｃモジュールの反対側に位置する、
請求項１に記載のＩＣカード。
【請求項３】
前記第１の取得部と前記第２の取得部は、
前記ＩＣモジュールが埋設される前記本体の表面とは反対側の裏面に埋設される、
請求項１又は２に記載のＩＣカード。
【請求項４】
前記第１の取得部と前記第２の取得部のどちらか一方は前記ＩＣモジュールが埋設され
る前記本体の表面に埋設され、他方は前記表面とは反対側の裏面に埋設される、
請求項１又は２に記載のＩＣカード。
【請求項５】
前記第１の取得部と前記第２の取得部は、前記本体の面に対して略垂直の方向に沿って
重なり合う部分を有する、
請求項４に記載のＩＣカード。
【発明の詳細な説明】
【技術分野】
【０００１】
本発明の実施形態は、ＩＣカードに関する。
【背景技術】
【０００２】
一般に、ＩＣカードを利用する利用者の指紋情報を使用して本人認証を実行する生体認
証センサを備えたＩＣカードが普及し始めている。しかしながら、量産型のＩＣカードに
指紋センサを利用するためには、その普及性を考慮すれば安価な指紋センサを利用せざる
を得ない。また、指紋センサは、厚さ１ｍｍ程度のＩＣカードに埋設するため、小型化せ
ざるを得ない。それに伴い、指紋センサによる本人認証の精度が低いという問題が存在し
ていた。
【先行技術文献】
【特許文献】
【０００３】
【特許文献１】特開２００９−１２９２５２号公報
【発明の概要】
【発明が解決しようとする課題】
【０００４】
本発明が解決しようとする課題は、利用者の本人認証を高精度に且つセキュアに実施可
能なＩＣカードを提供することである。
【課題を解決するための手段】
【０００５】
実施形態のＩＣカードは、端末装置と通信し、処理を実行するＩＣモジュールを有する
ＩＣカードであって、矩形状の本体と、第１の取得部と、第２の取得部と、を備える。第
１の取得部は、前記本体に埋設され、利用者の指から指紋情報を取得する。第２の取得部
は、前記本体の前記第１の取得部と異なる位置に埋設され、前記第１の取得部が指紋情報
を取得した指とは異なる指から指紋情報を取得する。
【図面の簡単な説明】
【０００６】
【図１】実施形態に係るＩＣカードの構成の一例を示すブロック図。
【図２】実施形態に係るＩＣカードのハードウェア構成の一例を示すブロック図。
【図３】実施形態に係るＩＣカードの機能構成の一例を示すブロック図。
【図４】実施形態に係るＩＣカードの表面に二つの取得部を埋設する位置を示す概略図。
【図５】実施形態に係る二つの取得部の埋設位置における第１の変形例を示す概略図。
【図６】実施形態に係る二つの取得部の埋設位置における第２の変形例を示す概略図。
【図７】実施形態に係る二つの取得部の埋設位置における第３の変形例を示す概略図。
【発明を実施するための形態】
【０００７】
以下、実施形態に係るＩＣカードを、図面を用いて説明する。なお、以下の説明では、
実施形態に係るＩＣカードは接触型のＩＣカードであるものとして説明するが、非接触型
のＩＣカードであっても良い。
【０００８】
まず、図１を用いてＩＣカード１の構成を説明する。図１は、実施形態に係るＩＣカー
ド１の構成の一例を示す図である。ＩＣカード１は、例えば、プラスチックの矩形状のカ
ード基材ＰＴ（カード本体の一例）に、ＩＣモジュール１０を実装して形成されている。
すなわち、ＩＣカード１は、ＩＣモジュール１０と、第１の取得部５０ａ、第２の取得部
５０ｂと、照合プロセッサ（図では照合Ｐｒ）６０と、これらが埋め込まれたカード基材
ＰＴとを備える。また、ＩＣカード１は、コンタクト部１５を介して外部の端末装置１０
０と通信可能である。なお、第１の取得部５０ａ、第２の取得部５０ｂについては、両者
を区別する必要がない場合は、適宜、取得部５０と称する。
【０００９】
ＩＣカード１は、例えば、端末装置１００により送信されたコマンド（処理要求）を、
コンタクト部１５を介して受信し、受信したコマンドに応じた処理（コマンド処理）を実
行する。そして、ＩＣカード１は、コマンド処理の実行結果であるレスポンス（処理応答
）を端末装置１００にコンタクト部１５を介して送信する。端末装置１００は、ＩＣカー
ド１と通信する装置であり、例えば、リーダ／ライタ装置を含む装置である。
【００１０】
ＩＣモジュール１０は、コンタクト部１５と、ＩＣチップ２０とを備える。ＩＣモジュ
ール１０は、例えば、テープ上にＩＣモジュール１０が複数配置されたＣＯＴ（Chip On 
Tape）などの形態で取引されるモジュールである。
【００１１】
ＩＣモジュール１０は、取得部５０により取得された利用者の指紋情報を、ＩＣモジュ
ール１０内に記憶された指紋情報と比較することで、利用者の認証を行い、認証結果を端
末装置１００に出力する。
【００１２】
取得部５０は、利用者の指から指紋情報を取得する指紋センサ等で構成される。取得部
５０は、第１の取得部５０ａと第２の取得部５０ｂを備える。第１の取得部５０ａと第２
の取得部５０ｂは、同一の指紋センサでも良いし、性能やサイズに違いのあるものでも良
い。また、本実施形態においていは、第１の取得部５０ａと第２の取得部５０ｂは、互い
に物理的に独立して、配置される。
【００１３】
コンタクト部１５は、ＩＣカード１が動作するために必要な各種信号の端子を有してい
る。ここで、各種信号の端子は、電源電圧、クロック信号、リセット信号などを端末装置
１００から供給される端子、及び、端末装置１００と通信するためのシリアルデ―タ入出
力端子（ＳＩＯ端子）を含む。
【００１４】
ＩＣチップ２０は、例えば、１チップのマイクロプロセッサなどのＬＳＩ（Large Scal
e Integration）である。また、照合プロセッサ６０は、取得部５０とＩＣモジュール１
０と電気的に接続している。
【００１５】
以上に説明したように、ＩＣカード１は、端末装置１００と通信し、各種取引を実行す
る。例えば、ＩＣカード１がクレジットカードとして利用される場合、指紋により利用者
の認証を実行し、決算処理を実行することが可能である。また、第１の取得部５０ａと第
２の取得部５０ｂを備えることで、利用者の本人認証を高精度に且つセキュアに実施可能
である。
【００１６】
図２は、実施形態に係るＩＣカード１のハードウェア構成の一例を示す図である。図２
に示すように、ＩＣカード１は、コンタクト部１５と、ＩＣチップ２０とを備えたＩＣモ
ジュール１０を備えている。そして、ＩＣチップ２０は、通信部２４と、ＣＰＵ２５と、
ＲＯＭ（Read Only Memory）２６と、ＲＡＭ（Random Access Memory）２７と、ＥＥＰＲ
ＯＭ（Electrically Erasable Programmable ROM）２８とを備える。これらの構成要素は
、内部バスＢＳ１を介して接続されている。
【００１７】
通信部２４は、例えばＵＡＲＴ（Universal Asynchronous Receiver Transmitter）で
あり、上述したＳＩＯ端子を介して、端末装置１００とシリアルデータ通信を行う。通信
部２４は、ＳＩＯ端子を介して受信したシリアルデータ信号をパラレル変換したデータ（
例えば、１バイトのデータ）を内部バスＢＳ１に出力する。また、通信部２４は、内部バ
スＢＳ１を介して取得したデータをシリアル変換して、ＳＩＯ端子を介して端末装置１０
０に出力する。通信部２４は、例えば、ＳＩＯ端子を介してコマンドを端末装置１００か
ら受信する。また、通信部２４は、ＳＩＯ端子を介してレスポンスを端末装置１００に送
信する。
【００１８】
ＲＯＭ２６は、例えば、マスクＲＯＭなどの不揮発性メモリである。ＲＯＭ２６は、Ｉ
Ｃカード１の各種処理を実行するためのプログラム、及びコマンドテーブルなどのデータ
を記憶する。
【００１９】
ＲＡＭ２７は、例えば、ＳＲＡＭ（Static RAM）などの揮発性メモリである。ＲＡＭ２
７は、ＩＣカード１の各種処理を行う際に利用されるデータを一時記憶する。
【００２０】
ＥＥＰＲＯＭ２８は、例えば、電気的に書き換え可能な不揮発性メモリである。ＥＥＰ
ＲＯＭ２８は、ＩＣカード１が利用する各種データを記憶する。ＥＥＰＲＯＭ２８は、例
えば、ＩＣカード１を利用した各種サービス（アプリケーション）に使用される情報を記
憶する。
【００２１】
ＣＰＵ２５は、ＲＯＭ２６やＲＡＭ２７等で構成される記憶部４０に記憶されているプ
ログラムを実行して、ＩＣカード１の各種処理を行う。ＣＰＵ２５は、例えば、コンタク
ト部１５を介して、通信部２４が受信したコマンドに応じたコマンド処理を実行する。
【００２２】
更に、内部バスＢＳ１には、照合プロセッサ６０が接続されている。照合プロセッサ６
０は、例えば、ＣＰＵとプログラムメモリとを含む。照合プロセッサ６０は、専用線など
で取得部５０と接続され、取得部５０が指紋情報を取得可能な状態（通電状態）であるか
否かを検知することができる。例えば、取得部５０が指紋センサである場合、指紋センサ
上に利用者の指が触れ、指紋センサが通電した場合に、照合プロセッサ６０は、指紋セン
サが指紋情報を取得可能な状態であると判定する。指紋センサは、静電容量型、感熱型、
光学型などのうちいずれかの方式で利用者の指紋情報を取得する。なお、照合プロセッサ
６０は、ＩＣモジュール１０と一体に構成されても良いし、照合プロセッサ６０の機能を
ＩＣモジュール１０が備えても良い。
【００２３】
図３は、実施形態におけるＩＣカード１の機能構成図である。ＩＣカード１は、例えば
、上述した通信部２４及び取得部５０、処理部３０、記憶部４０を備える。
【００２４】
処理部３０は、例えば、コマンド処理部３４と指紋情報照合部３２を備える。コマンド
処理部３４と指紋情報照合部３２は、例えばＣＰＵ２５が記憶部４０に記憶されたプログ
ラム４４を実行することで実現される。
【００２５】
記憶部４０には、第１の指紋情報４６ａ、第２の指紋情報４６ｂと、プログラム４４が
予め記憶される。なお、第１の指紋情報４６ａ、第２の指紋情報４６ｂについては、両者
を区別する必要がない場合は、便宜上、指紋情報４６と称する。記憶部４０に予め記憶さ
れている指紋情報４６は、利用者の本人認証に使用するための情報であり、例えば、ＩＣ
カード１を発行する際に、利用者から指紋情報４６を取得し、記憶部４０に記憶させた情
報である。なお、ＩＣカード１の種類によっては、発行後に記憶部４０に指紋情報４６を
記憶させても良い。
【００２６】
記憶部４０に記憶された指紋情報４６は、取得部５０により取得された指紋情報との照
合対象となる情報であり、例えば取得部５０が取得する指紋の形状パターンを幾何情報に
した情報、または何らかの特徴量に変換した情報、或いはこれらの組み合わせなどである
。
【００２７】
コマンド処理部３４は、通信部２４を介して端末装置１００から受信するコマンド（処
理要求）に応じて、各種コマンドの処理（コマンド処理）を実行する。また、コマンド処
理部３４は、コマンド処理の結果であるレスポンスを、通信部２４を介して端末装置１０
０に送信する。コマンド処理部３４は、後述する照合の成功（本人認証の成功）を条件と
するコマンド処理に関しては、指紋情報照合部３２からの認証成功通知がなされた場合に
、すなわち記憶部４０におけるセキュアな領域へのアクセスが許可された場合に、処理を
先に進める。
【００２８】
指紋情報照合部３２は、取得部５０によって取得された指紋情報と、記憶部４０に予め
記憶されている指紋情報４６を照合し、照合に成功した場合、本人認証が成功したと判定
する。指紋情報照合部３２による本人認証が成功するとは、例えば第１の取得部５０ａに
よって取得された指紋情報と記憶部４０に予め記憶されている第１の指紋情報４６ａ若し
くは第２の指紋情報４６ｂどちらか一方との一致程度を示す値が閾値以上であり、かつ第
２の取得部５０ｂによって取得された指紋情報が記憶部４０に予め記憶されている他方の
指紋情報４６との一致程度を示す値が閾値以上であることを示す。つまり、本人認証が成
功するとは、利用者の二本の指から取得した指紋情報と、記憶部４０に予め記憶されてい
る二つの指紋情報４６が略一致することを意味する。
【００２９】
なお、よりセキュアな本人認証を実施するために、第１の取得部５０ａが取得した指紋
情報は、記憶部４０に予め記憶されている第１の指紋情報４６ａとしか照合せず、第２の
取得部５０ｂが取得した指紋情報は、記憶部４０に予め記憶されている第２の指紋情報４
６ｂとしか照合しないとしても良い。すなわち、取得部５０の位置と、指紋情報４６を関
連付けて記憶しても良い。例えば、第１の指紋情報４６ａが利用者の中指、第２の指紋情
報４６ｂが利用者の人差し指の情報を記憶していた場合、利用者が第１の取得部５０ａに
人差し指の指紋情報を取得させ、第２の取得部５０ｂに中指の指紋情報を取得させても本
人認証は成功しない。
【００３０】
指紋情報照合部３２による照合が成功し、すなわち本人認証が成功すると、記憶部４０
におけるセキュアな領域へのアクセスを許可し、所定の処理を実行可能な状態となる。な
お、本実施例では、処理部３０が指紋情報照合部３２を有するとしているが、照合プロセ
ッサ６０が指紋情報照合部３２を有するとしても良い。
【００３１】
次に、図４を用いて、二つの取得部５０の埋設位置について説明する。図４は、ＩＣカ
ード１の表面に２つの取得部５０を埋設する位置を示す概略図である。図に示す（ａ）は
ＩＣカード１の表面、（ｂ）はＩＣカード１の裏面をそれぞれ示している。なお、本実施
例では、ＩＣモジュール１０のコンタクト部１５が視認可能な面を表面として説明する。
また、図中の一点鎖線はＩＣカードの中心線を示し、破線はＩＣモジュール１０若しくは
取得部５０の隠れ線を示す。さらに、二つの中心線の交点は、ＩＣカードの略中心を示す
。
【００３２】
図４に示すように、第１の取得部５０ａと第２の取得部５０ｂは、ＩＣカードの表面に
埋設されている。また、第２の取得部５０ｂは、第１の取得部５０ａと異なる位置に埋設
されている。例えば、第２の取得部５０ｂは、第１の取得部５０ａが指紋情報を取得した
指とは異なる指から指紋情報を取得するよう埋設される。
【００３３】
なお、図４に示すように、第１の取得部５０ａと第２の取得部５０ｂは、矩形状のＩＣ
カード１の短辺方向の略中心を通って長辺方向に沿った中心線を挟んでＩＣモジュールの
反対側に位置するよう埋設しても良い。
【００３４】
二つの取得部５０をＩＣカード１の短辺方向の略中心を通って長辺方向に沿った中心線
を挟んでＩＣモジュールの反対側に位置させることで、コンタクト部１５が端末装置１０
０に接触するようＩＣカード１を端末装置１００に挿入させた状態においても、取得部５
０が端末装置１００から露出するようにしておけば、利用者から指紋情報を取得し、本人
認証を実行することが可能である。
【００３５】
次に、図５乃至図７を用いて、二つの取得部５０の埋設位置における変形例を説明する
。なお、図５乃至図７において、図４と同様の部分については、適宜説明を省略する。
【００３６】
図５は、二つの取得部５０の埋設位置における第１の変形例を示す概略図である。第１
の変形例において、第１の取得部５０ａと第２の取得部５０ｂは、ＩＣモジュールが埋設
されるＩＣカードの表面とは反対側の裏面に埋設される。
【００３７】
二つの取得部５０をＩＣカード１の裏面に埋設することで、二つの取得部５０は、利用
者以外の他者や監視カメラ等の死角に位置し易くなり、どの指を使用していたかを隠すこ
とが可能である。また、指をあてがうため手首の位置、角度が自然となり、当該ＩＣカー
ド１が使用しやすくなる。
【００３８】
さらに、第１の取得部５０ａと第２の取得部５０ｂは、矩形状のＩＣカード１の短辺方
向の略中心を通って長辺方向に沿った中心線を挟んでＩＣモジュールの反対側に位置する
よう埋設しても良い。
【００３９】
この配置により、コンタクト部１５が端末装置１００に接触するようＩＣカード１を端
末装置１００に挿入させた状態においても、利用者から指紋情報を取得し、本人認証を実
行することが可能であり、また、指をあてがうため手首の位置、角度が自然となり、当該
ＩＣカード１が使用しやすくなる。
【００４０】
図６は、二つの取得部５０の埋設位置における第２の変形例を示す概略図である。第２
の変形例において、第１の取得部５０ａと第２の取得部５０ｂのどちらか一方は表面に埋
設され、他方は裏面に埋設される。
【００４１】
この配置により、二つの取得部５０に指を置く際、すなわち表面と裏面に指を置こうと
する際に、両方の指の指紋を撮影するのは困難であり、指紋情報が盗まれるリスクを表面
の指紋情報と裏面の指紋情報で分散することが可能である。また、指をあてがうため手首
の位置、角度が自然となり、当該ＩＣカード１が使用しやすくなる。
【００４２】
図７は、二つの取得部５０の埋設位置における第３の変形例を示す概形図である。なお
、図７における破線は、ＩＣモジュール１０若しくは取得部５０の隠れ線、或いは表面に
埋設される第１の取得部５０ａ若しくは第２の取得部５０ｂの概形の延長線を示す参考線
である。
【００４３】
第２の変形例において、第１の取得部５０ａと第２の取得部５０ｂのどちらか一方は表
面に埋設され、他方は裏面に埋設され、かつ第１の取得部５０ａと第２の取得部５０ｂは
、ＩＣカード１の面に対して略垂直の方向に沿って重なり合う部分を有する。なお、図７
における重なり合う部分を、分かり易いように斜線でハッチングし、Wの記号を付した。
【００４４】
この配置により、二つの指紋情報が表面と裏面に分かれるため、指紋情報が盗まれるリ
スクを分散することが可能であり、且つＩＣカードを持つ自然な姿勢のまま簡易に本人認
証を実行することが可能である。
【００４５】
以上に説明した実施形態若しくは変形例におけるＩＣカード１によれば、取得部５０を
二つ設けることにより、指紋情報の認識精度を向上させることが可能であり、取引をより
セキュア且つ簡易に実行することが可能である。
【００４６】
また、上記した実施形態の若しくは変形例のＩＣカード１における処理はいくつかのソ
フトウェアによって実行することが可能である。このため、上記処理の手順を実行するい
くつかのプログラムを格納したコンピュータ読み取り可能な記憶媒体を通じてこれらプロ
グラムをＩＣカード１へインストールして実行するだけで、上記処理を容易に実現するこ
とができる。例えば、ＩＣカード１は、上記プログラムをネットワーク経由でダウンロー
ドし、ダウンロードしたプログラムを記憶し、プログラムのインストールを完了すること
ができる。或いは、ＩＣカード１は、上記プログラムを情報記憶媒体から読み取り、読み
取ったプログラムを記憶し、プログラムのインストールを完了することができる。
【００４７】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００４８】
１  カード
１０  モジュール
１５  コンタクト部
２０  チップ
２４  通信部
２８  ＥＥＰＲＯＭ
３０  処理部
３２  指紋情報照合部
３４  コマンド処理部
４０  記憶部
４４  プログラム
４６  指紋情報
４６ａ  第１の指紋情報
４６ｂ  第２の指紋情報
５０  取得部
５０ａ  第１の取得部
５０ｂ  第２の取得部
６０  照合プロセッサ
１００  端末装置
ＢＳ１  内部バス
Ｐｒ  照合
ＰＴ  カード基材
【図１】
2019192093.tif 000003
【図２】
2019192093.tif 000004
【図３】
2019192093.tif 000005
【図４】
2019192093.tif 000006
【図５】
2019192093.tif 000007
【図６】
2019192093.tif 000008
【図７】
2019192093.tif 000009